(57)【要約】【構成】ボックス本体に少なくとも物入れボックス部と電源ボックス部とを設け、前記電源ボックス部に蓋体を開閉自在に設けるとともにこの蓋体の表面にデザインを設けた車両用コンソールボックス装置において、前記デザインをブラックホールパネルによって構成した車両用コンソールボックス装置である。 【効果】コンソール電源部の蓋体の表面に、光による奥行感のある立体的なデザインを施すことができる。光による演出によって暗い箇所を照らすことができるとともに、コンソール部ひいては車内空間の装飾性を高めることができ、運転者は快適に車両を運転することができる。特にブラックホールパネル(以下「ＢＨパネル」と記す)は光が奥まって見える立体感を示すため、運転の邪魔にならない状態でコンソール部の装飾性を高めることができる。【選択図】    図２
0003176979.tif 000002
【実用新案登録請求の範囲】
【請求項１】
ボックス本体に少なくとも物入れボックス部と電源ボックス部とを設け、前記電源ボックス部に蓋体を開閉自在に設けるとともにこの蓋体の表面にデザインを設けた車両用コンソールボックス装置において、前記デザインをブラックホールパネルによって構成したことを特徴とする車両コンソールボックス装置。
【請求項２】
前記物入れボックス部の内周壁面に、導光チューブを設置し、光源によってこの導光チューブを発光させることを特徴とする請求項１の車両コンソールボックス装置。
【請求項３】
前記導光チューブを壁面内に周方向に向かって埋設し、内壁面を介して透光可能としたことを特徴する請求項２の車両コンソールボックス装置。
【請求項４】
前記ボックス本体の前端縁又は後端縁に足元照明を設置したことを特徴とする請求項１、請求項２又は請求項３の車両コンソールボックス装置。
【考案の詳細な説明】
【技術分野】
【０００１】
この考案は車両用コンソールボックス装置に関し、自動車の運転席と助手席との間に設置され、運転席周囲の電源コントロール、小物入れとして使用される。
【背景技術】
【０００２】
従来におけるこの種のコンソールボックス装置は、ボックス本体に物入れ部とコンソール電源部とを設け、コンソール電源部に蓋体を開閉可能に設置したものであり、前記物入れ部に小銭やドリンクボトルを収納するとともに、前記蓋体を開放してコンセント配電盤を露出し、アクセサリーコンセント(ライター用コンセント、ＡＵＸ端子用コンセント、ＵＳＢ端子用コンセント等)を使用可能にしていた。
【０００３】
【特許文献１】特開２０１０−１５５５２５号公報
【考案の開示】
【考案が解決しようとする課題】
【０００４】
しかしながら、かかる従来の車両用コンソールボックス装置においては小物入れやドリンクホルダーといった機能性を優先し、シンプルかつ目立たないものであったため、コンソール部ひいては車内空間の装飾性を高めにくく、この結果、車両の運転が単調にならざるを得ないという不都合を有した。
【０００５】
この不都合を解消することがこの考案の課題である。
【課題を解決するための手段】
【０００６】
前記課題を達成するために、この考案に係る車両用コンソールボックス装置においては、ボックス本体に少なくとも物入れボックス部と電源ボックス部とを設け、前記電源ボックス部に蓋体を開閉自在に設けるとともにこの蓋体の表面にデザインを設けた車両用コンソールボックス装置において、前記デザインをブラックホールパネルによって構成したものである。
【０００７】
この場合、前記物入れボックス部の内周壁面に、導光チューブを設置し、光源によってこの導光チューブを発光させることができる。
【０００８】
また、前記導光チューブを壁面内に周方向に向かって埋設し、内壁面を介して透光可能とすることができる。
【０００９】
さらに、前記ボックス本体の前端縁又は後端縁に足元照明を設置することができる。
【考案の効果】
【００１０】
この考案に係る車両用コンソールボックス装置は上記のように構成されているため、即ち、ボックス本体に少なくとも物入れボックス部と電源ボックス部とを設け、前記電源ボックス部に蓋体を開閉自在に設けるとともにこの蓋体の表面にデザインを設けた車両用コンソールボックス装置において、前記デザインをブラックホールパネルによって構成したため、コンソール電源部の蓋体の表面に、光による奥行感のある立体的なデザインを施すことができる。
【００１１】
よって、この考案にかかる車両用コンソールボックス装置を使用すれば、光による演出によって暗い箇所を照らすことができるとともに、コンソール部ひいては車内空間の装飾性を高めることができ、運転者は快適に車両を運転することができる。特にブラックホールパネル(以下「ＢＨパネル」と記す)は光が奥まって見える立体感を示すため、運転の邪魔にならない状態でコンソール部の装飾性を高めることができる。
【００１２】
この場合、前記物入れボックス部の内周壁面に、導光チューブを設置し、光源によってこの導光チューブを発光させれば、物入れボックスの位置の確認がし易くなるとともに、その装飾性も向上する。
【００１３】
また、前記導光チューブを壁面内に周方向に向かって埋設し、内壁面を介して透光可能とすれば導光チューブは内壁面に突出しないため、物入れボックス部への物の出し入れが容易になる。
【００１４】
さらに、前記ボックス本体の前端縁又は後端縁に足元照明を設置すれば、運転席周囲の足元を任意に明るくすることができ、車両用の運転、特に夜間における運転を容易にすることができる。
【００１５】
この考案に係る車両用コンソールボックス装置においては、実施するにあたって下記の構成に最も主要な特徴を有する。
【００１６】
「コンソールボックス本体」は樹脂成形が適している。
【００１７】
「ＢＨパネル」は通常使用販売されているものであり、一対の合わせ鏡の間にＬＥＤを挟み、その光を合わせ鏡の機能によって奥行感(ブラックホール模様)を出すものである。
【００１８】
「導光チューブ」とはアウターチューブ内の内側にリフレクターフィルムを設置し、その内側に導光フィルムを設置し、その内側にエクストラリフレクターフィルムを設置したものであり、通常使用販売されているものである。
【００１９】
「足元照明」としてはＬＥＤを使用する。
【００２０】
「ＢＨパネル」や「導光チューブ」の光をコントロールすることにより、調光やフェードイン・アウト、またＬＥＤをフルカラー(３色)に変えることで発色性を無限に変化させることが可能である。なおこの実施例では光源としてＬＥＤを使用したが全ての場合において、これに限定されるものではなく、全ての発光手段を使用することができる。
【実施例】
【００２１】
以下、この考案の実施例を図面に基づいて説明する。
【００２２】
図１はこの考案に係る車両用コンソールボックス装置の斜視図、図２は同平面図、図３は図２におけるIII-III線断面図、図４は図２におけるIV-IV線断面図である。
【００２３】
図１において、Ｄは四輪自動車(この考案の「車両」に相当する)の運転席シート、Ａは同助手席シートである。Ｃはコンソールボックス装置であり、運転席シートＤと助手席シートＡの間に設置されている。また、Ｒはインパネであり、コンソールボックス装置Ｃの前方に位置している。
【００２４】
次に図１〜図４に基づいて、前記コンソールボックス装置Ｃについて詳述する。
【００２５】
図において、１０はコンソールボックス本体、１１はそのボックス部である。１２は裾部であり、前記ボックス部１１の周端縁に連設されている。これらのボックス部１１及び裾部１２は合成樹脂によって一体成形されている。
【００２６】
１３は仕切壁であり、前記ボックス部１１の底面に一体成形されている。この仕切壁１３は上方に延び、前記ボックス部を物入れボックス部２０と電源ボックス部３０とに区切っている。
【００２７】
前記物入れボックス部２０において、２１、２１、…は小物ボックスであり、前記仕切壁１３に沿って配置されている。前記物入れボックス２０におけるこの小物ボックス２１、２１、…以外は大きな物を収容する大物ボックス部２２として使用される。また、２３は床下収納部、２４はその開閉蓋である。
【００２８】
２５は口端突条部であり、前記物入れボックス部２０における前記大物ボックス部２２の内周壁に形成されている。この口端突条部２５はＵ字状(図２において)を示している。２６はスロープ部であり前記口端突条部の下端縁に連設されている。このスロープ部２６は下方に向かうに従って外側に拡がっている。
【００２９】
Ｔは導光チューブであり、前記大物ボックス部２２におけるスロープ部の内壁面に設置されている。この導光チューブＴは発光面を前記スロープ部２６に接触した状態で前記大物ボックス部２２内をＵ字状(図２において)に延び、その両端部は前記電源ボックス部３０にまで至っている。
【００３０】
２７、２７はＬＥＤ(発光部)であり、前記電源ボックス部３０内に設置されている。このＬＥＤ２７，２７はリフレクター(図示せず)を介して前記導光チューブＴに光を導き、導光チューブＴを発光させる。なお、前記物入れボックス部(スロープ部２６を含む)２０は前記導光チューブＴの光を通過できる厚さに形成されているため、この光は物入れボックス２０の内壁面を光により装飾することができる。
【００３１】
３１はコンセント配電盤であり、前記電源ボックス部３０内の上部に設置されている。このコンセント配電盤は略水平に位置し、その表面には前記アクセサリーコンセントが設置されている。
【００３２】
３２は蓋体であり、前記電源ボックス部３０の開口部に開閉可能(図３において矢印方向)に設置されている。この蓋体３２を開けることによって前記コンセント配電盤３１が露出し、アクセサリーコンセント使用することができる。
【００３３】
ＰはＢＨパネルであり、前記蓋体３２の表面に貼着されている。このＢＨパネルＰの構造は前記した通りである。
【００３４】
次に、Ｆ、Ｆは足元照明であり前記裾部(コンソールボックス本体１０の)１２における前部及び後部の下端部に設けられている。この足元照明Ｆ、Ｆは水平方向に延び、前記コンソールボックス本体１０の外側の下部を照らし出す。５０，５０はＬＥＤでありこの足元照明Ｆ、Ｆの光源として使用されている。
【００３５】
前記ＢＨパネルＰ、前記導光チューブ及び前記足元照明Ｆの各ＬＥＤは制御回路（外部ＥＣＶ他）６０を介して調光等がコントロールされる。なお、この制御回路６０は電源ボックス部３０内に設置されている。またこの制御回路６０の操作部は前記配電盤３１に設置されている。
【産業上の利用可能性】
【００３６】
この考案に係る車両用コンソールボックス装置は、光による演出によって暗い箇所を照らすことができるとともに、コンソール部ひいては車内空間の装飾性を高めることができ、運転者は快適に車両を運転することができる。特にブラックホールパネル(以下「ＢＨパネル」と記す)は光が奥まって見える立体感を示すため、運転の邪魔にならない状態でコンソール部の装飾性を高めることができる。産業上の利用可能性は高いものである。
【図面の簡単な説明】
【００３７】
【図１】図１はこの考案に係る車両用コンソールボックス装置の斜視図である。
【図２】図２は同平面図である。
【図３】図３は図２におけるIII-III線断面図である。
【図４】図４は図２におけるIV-IV線断面図である。
【符号の説明】
【００３８】
Ａ  …  助手席シート
Ｃ  …  コンソールボックス装置
Ｄ  …  四輪自動車(車両)の運転席シート
Ｆ  …  足元照明
Ｐ  …  ＢＨパネル
Ｒ  …  インパネ
Ｔ  …  導光チューブ
１０  …  コンソールボックス本体、
１１  …  ボックス部。
１２  …  裾部
１３  …  仕切壁
２０  …  物入れボックス部
２１  …  小物ボックス部
２２  …  大物ボックス部
２３  …  床下収納部
２４  …  開閉蓋
２５  …  口端突条部
２６  …  スロープ部
２７  …  ＬＥＤ(発光部) 
３０  …  電源ボックス部
３１  …  コンセント配電盤
３２  …  蓋体
５０  …  ＬＥＤ
６０  …  制御回路
【図１】
0003176979.tif 000003
【図２】
0003176979.tif 000004
【図３】
0003176979.tif 000005
【図４】
0003176979.tif 000006